(57)【要約】  【課題】  明るさ（輝度等）を担保するために、光の利用効率を高めたバックライト装置、および、このようなバックライト装置を用いた液晶表示装置を提供する。  【解決手段】  光を出射するＬＥＤ１１と、この光を内部に伝搬させる導光板１５とを含むバックライト装置１９であって、ＬＥＤ１１の光を構成する波長域を分割させた一部分から成る特定波長域の光を反射させることで照射させる一方、残りの波長域の光を透過させる干渉フィルター１を、導光板１５の内部に設ける。【選択図】      図１
2006012722.tif 000002
【特許請求の範囲】
【請求項１】
光を出射する光源と、上記光を内部に伝搬させる導光板とを含むバックライト装置において、
上記光の波長域を分割させた一部分から成る特定波長域の光を反射させることで照射させる一方、残りの波長域の光を透過させる色選択照射体が、上記導光板の内部に設けられていることを特徴とするバックライト装置。
【請求項２】
上記色選択照射体は、上記光を構成するそれぞれの特定波長域の光毎に対応して複数設けられ、対応する特定波長域の光を反射させることで照射させる一方、他の波長域の光を透過させることを特徴とする請求項１にバックライト装置。
【請求項３】
上記導光板の底側には、上記光源の光を反射させる反射膜が設けられていることを特徴とする請求項１または２に記載のバックライト装置。
【請求項４】
上記色選択照射体によって照射される光が上記導光板を通過して向かう側には、その照射される光を集光させる、または偏向させる光学素子が設けられていることを特徴とする請求項１〜３のいずれか１項に記載のバックライト装置。
【請求項５】
光を出射する上記光源と、その光の入射する上記導光板の入射端部との間に、上記光を平行化する光平行化素子が設けられたことを特徴とする請求項１〜４のいずれか１項に記載のバックライト装置。
【請求項６】
上記の特定波長域の光を反射させるために必要な上記色選択照射体への入射角度をα°、上記導光板における底側の平面に対する色選択照射体の傾き角度をβ°、とする場合、
以下の条件式（１）を満たすように、上記色選択照射体を傾けるようにして、導光板の内部に配設させていることを特徴とする請求項１〜５のいずれか１項に記載のバックライト装置；
（１）β°＝９０°−α°
なお、
上記入射角度α°は、色選択照射体における反射箇所の法線方向からの傾き角度であり、傾き方向が上記導光板の底側に向かう場合「＋」、底側と逆方向に向かう場合「−」と規定するとともに、
上記傾き角度β°の範囲は、０°≦β°≦９０°となっている。
【請求項７】
以下の条件式（２）を満たした入射角度γ°を有する上記光源からの光のうち、特定波長域の光を反射させることで照射させる一方、他の波長域の光を透過させるように、上記色選択照射体が設計されていることを特徴とする請求項６に記載のバックライト装置；
（２）（α°−上記導光板の全反射角度）≦γ°≦（α°＋上記導光板の全反射角度）
なお、
上記入射角度γ°は、色選択照射体における反射箇所の法線方向からの傾き角度であり、傾き方向が上記導光板の底側に向かう場合「＋」、底側と逆方向に向かう場合「−」と規定する。
【請求項８】
上記光源が、赤色光を発光する赤色発光素子、緑光を発光する緑色発光素子、および青光を発光する青色発光素子から構成されることを特徴とする請求項項１〜７のいずれか１項に記載のバックライト装置。
【請求項９】
上記色選択照射体は、上記赤色発光素子からの赤色光の波長域と同範囲の波長域の光を反射させる赤色照射体、上記緑色発光素子からの緑色光の波長域と同範囲の波長域の光を反射させる緑色照射体、および、上記青色発光素子からの青色光の波長域と同範囲の波長域の光を反射させる青色照射体から構成されていることを特徴とする請求項８に記載のバックライト装置。
【請求項１０】
上記色選択照射体が、干渉フィルターから構成されていることを特徴とする請求項１〜９のいずれか１項に記載のバックライト装置。
【請求項１１】
上記色選択照射体が蛍光体を含むように構成されるとともに、上記光源から蛍光励起光を発するようにすることで、上記蛍光体を含む色選択照射体が、蛍光放射光を発することを特徴とする請求項項１〜９のいずれか１項に記載のバックライト装置。
【請求項１２】
上記色選択照射体が、コレステリック液晶から構成されていることを特徴とする請求項項１〜９のいずれか１項に記載のバックライト装置。
【請求項１３】
上記導光板と上記反射膜との間に、位相差板が設けられていることを特徴とする請求項１２に記載のバックライト装置。
【請求項１４】
上記色選択照射体によって照射された光が向かう側の上記導光体には、その照射された光を直線偏光に変換させる１／２波長板が設けられていることを特徴とする請求項１２または１３に記載のバックライト装置。
【請求項１５】
請求項１〜１４のいずれか１項に記載のバックライト装置と、そのバックライト装置における色選択照射体からの光を利用して画面表示を行なう液晶表示パネルとを含む液晶表示装置において、
上記色選択照射体によって照射される特定波長域の光に対応させて、液晶表示パネルの一画素が形成されていることを特徴とする液晶表示装置。
【請求項１６】
上記色選択照射体によって照射される特定波長域の光に対応させて、その光を透過させるカラーフィルターが備えられていることを特徴とする請求項１５に記載の液晶表示装置。
【請求項１７】
上記一画素は、上記色選択照射体からの光で画面表示を行なう透過領域と、外光を反射させた光で画面表示を行なう反射領域とから構成されており、
上記透過領域を上記色選択照射体と対応させるように配設することで、上記色選択照射体によって照射される特定波長域の光が、上記透過領域に照射されるようになっていることを特徴とする請求項１５または１６に記載の液晶表示装置。
【請求項１８】
上記光学素子が、上記透過領域に対応して設けられていることを特徴とする請求項１７に記載の液晶表示装置。
【請求項１９】
上記光学素子が、平面上において、充填率７５％以上で配設されていることを特徴とする請求項１８に記載の液晶表示装置。
【発明の詳細な説明】
【技術分野】
【０００１】
本発明は、背面光源（バックライト装置）を利用して、表示可能としている液晶表示装置、およびそのバックライト装置に関するものである。
【背景技術】
【０００２】
一般的に、透過型または半透過型で直視型液晶表示装置を構成する場合、バックライト装置が使用される。通常、バックライト装置は、白色光等(バックライト光)を出射する光源と、この光源からの光を液晶表示パネルの面方向に向けて照射させる導光板ユニット〔例えば、矩形平板形状の導光板（アクリル樹脂製等）の裏面に反射板を取り付けたもの〕とを含むように構成されている。
【０００３】
そして、このようなバックライト装置と液晶表示パネルとを備えた液晶表示装置で、カラー表示を実現する場合、液晶表示パネルの表示面側（表側）または背面側（裏側）に、Ｒ（レッド）・Ｇ（グリーン）・Ｂ（ブルー）から成るカラーフィルター（吸収型カラーフィルター）が設けられている。そして、このカラーフィルターによって、液晶表示パネルを介して出射する光を着色させるようにしている。つまり、各カラーフィルター（Ｒカラーフィルター・Ｇカラーフィルター・Ｂカラーフィルター）は、バックライト光（白色光等；およそ４００〜７００ｎｍの光）のうち、ある波長範囲の光だけを透過させ、残りの光（白色光の２／３に相当する光）を吸収することで、所望のカラー表示を実現させている。
【０００４】
すると、一部の白色光（可視光）しかカラー表示に寄与しないことになるので〔例えばＢのカラーフィルターに白色光が入射したとしても、白色光の２／３に相当する光（５００〜７００ｎｍ程度の光）はカラー表示に寄与しないことになるので〕、大きな光損失が生じることになり（光利用率が低くなることになり）、液晶表示装置（液晶表示パネル）として、一定の明るさを確保することが難しくなるという問題が生じる。
【０００５】
このような問題を解決するために、特許文献１の液晶表示装置では、バックライト装置からの光をマイクロレンズ（集光レンズ）で集光することにより、光強度を高めている。また、特許文献２の液晶表示装置では（図１５（ａ）参照）、光源１１１からの出射光（白色光）を、導光板１１５に入射（到達）する前に、干渉フィルター１０１でＲ光・Ｇ光・Ｂ光に分離させるとともに、その分離光毎（各色毎に）に対応した光伝搬領域１１５ａをもつ導光板１１５を用いることで、光損失を抑制させている。
【特許文献１】特開２０００−２９８２６７号公報（請求項１、図１参照）
【特許文献２】特開平１１−１０９３５０号公報（請求項１、図２参照）
【発明の開示】
【発明が解決しようとする課題】
【０００６】
しかしながら、特許文献１の液晶表示装置では、光強度を高めているとはいえ、白色光がそのままカラーフィルターや着色したマイクロレンズに入射する。そのため、透過する光以外は、やはり吸収されることになり、光（白色光）の利用効率は低いといえる。
【０００７】
また、特許文献２の液晶表示装置では、図１５（ｂ）〔図１５（ａ）におけるＱ部分の拡大図〕に示すように、各干渉フィルター１０１の透過色（例えばＲ光を透過させるＲ干渉フィルター１０１）と異なる色の光は、導光板１１５の入射端面で反射される場合がある。すると、この反射された光はカラー表示に寄与し得ないので、光の利用効率（リサイクル効率）はやはり低くなってしまう。また、光吸収性を有するアルミニウム薄膜を用いて、導光板１１５内に分離光毎に対応した光伝搬領域１１５ａを形成させているため、入射した光は、導光板１１５内を伝搬するうちに急激に減衰し、入射側と奥側（入射側と対向する導光板１１５の終端側）とで同じ輝度を確保することが難しい。
【０００８】
本発明は、上記の問題点を解決するためになされたものであって、その目的は、カラー表示可能な液晶表示装置（液晶表示パネル）の明るさ（輝度等）を担保するために、光の利用効率を高めたバックライト装置、および、このようなバックライト装置を用いることで、低消費電力で一定の明るさを確保できる液晶表示装置を提供することにある。
【課題を解決するための手段】
【０００９】
本発明は、光を出射する光源と、上記光を内部に伝搬させる導光板とを含むバックライト装置であって、上記光の波長域を分割させた一部分から成る特定波長域の光を反射させることで照射させる一方、残りの波長域の光を透過させる色選択照射体が、上記導光板の内部に設けられていることを特徴としている。
【００１０】
例えば、光源からの光が白色光（Ｗ光）の場合、この白色光が導光板内を伝搬する。そして、本発明では、色選択照射体が、この白色光（およそ４００〜７００ｎｍの波長域の光）における特定波長域の光（例えば４００〜５００ｎｍの波長域の光；Ｒ光）のみを反射させることで、導光板の光出射面等に向けて照射させることができる。一方、反射されなかった波長域の光（５００〜６００ｎｍ、６００〜７００ｎｍの波長域の光；Ｇ光・Ｂ光）は、引き続き導光板内部を伝搬していく。つまり、白色光が吸収されることない。
【００１１】
したがって、白色光を構成するそれぞれの特定波長域の光毎に（例えばＲ光・Ｇ光・Ｂ光毎に）対応して色選択照射体を設けるようにすると、白色光の全てをスペクトル分離させて（Ｒ光・Ｇ光・Ｂ光に分離させて）、導光板の光出射面等に向けて照射させることができる。
【００１２】
すなわち、本発明のバックライト装置は、白色光の一部分の光（一部の波長域の光）を吸収することなく、導光板から出射させることができる。したがって、光の利用効率を高めたバックライト装置となる。
【００１３】
また、導光板から出射される光の利用効率をさらに高めようとするには、導光板内部からの光の漏洩を防ぐことがよい。したがって、導光体の底側には、光源の光を反射させる反射膜が設けられていることが好ましい。
【００１４】
さらには、色選択照射体によって照射される光が上記導光板を通過して向かう側に、その照射される光を観視方向（観察者側の方向）等に集光させるまたは偏向させる光学素子を設けると、導光板内部における色選択照射体の面積（占有部分）を大きくすることができる。すると、この面積が大きいほど、効率よく光を反射させることになるので、導光板から出射される光の利用効率をさらに高めることができる。
【００１５】
また、光源からの光を効率よく（漏洩させることなく）導光板に入射させるために、光を出射する光源と、その光の入射する導光板の入射端部等との間に、光を平行化できる光平行化素子を設け、導光板の平面に対して平行な光に変換させることが好ましい。なお、この光平行化素子の配設位置は、上記の通り、光源と入射端部との間にあってもよいが、光源と色選択照射体との間に設けられていても構わない。
【００１６】
ところで、一般的に、色選択照射体によって反射される光の波長特性は、光の入射角度に依存する（光の入射角度によって、反射される光の波長が異なってくる）。すると、本発明では、光平行化素子を設けていることから、導光板内部には、この導光板の平面に対して平行な光が最も多く存在することになる。そのため、この最も多く存在する光の角度に対応して、所望の波長の光を反射できるように色選択照射体を傾ける必要がある。
【００１７】
そこで、上記の特定波長域の光を反射させるために必要な上記色選択照射体への入射角度をα°、上記導光板における底側の平面に対する色選択照射体の傾き角度をβ°、とする場合、本発明のバックライト装置では、以下の条件式（１）を満たすように、色選択照射体を傾けるようにして、導光板の内部に配設させていることが好ましい。
【００１８】
（１）β°＝９０°−α°
なお、上記入射角度α°は、色選択照射体における反射箇所の法線方向からの傾き角度であり、傾き方向が上記導光板の底側に向かう場合「＋」、底側と逆方向に向かう場合「−」と規定するとともに、上記傾き角度β°の範囲は、０°≦β°≦９０°となっている。
【００１９】
また、導光板内部を光が効率よく伝搬していくためには、光は導光板の全反射角度以上の角度で入射して全反射していくことが好ましい。かかる場合、色選択照射体には「α°±上記導光板の全反射角度」（＝入射角度γ°）の範囲の光線が入射することにもなる。
【００２０】
そこで、本発明のバックライト装置では、この角度（入射角度γ°）内で、各色（Ｒ・Ｇ・Ｂ）を反射できるような色選択照射体を設計するようにしている。
【００２１】
具体的には、以下の条件式（２）を満たした入射角度γ°を有する上記光源からの光のうち、特定波長域の光を反射させることで照射させる一方、他の波長域の光を透過させるように、上記色選択照射体が設計されていることが好ましい。
【００２２】
（２）（α°−上記導光板の全反射角度）≦γ°≦（α°＋上記導光板の全反射角度）
なお、上記入射角度γ°は、色選択照射体における反射箇所の法線方向からの傾き角度であり、傾き方向が上記導光板の底側に向かう場合「＋」、底側と逆方向に向かう場合「−」と規定する。
【００２３】
また、本発明では、種々の光源が利用可能である。例えば、光源が、赤色光を発光する発光素子、緑光を発光する発光素子、および青光を発光する発光素子から構成されるものでも構わない。このような光源であれば、各発光色の色純度が高くなる。そのため、色選択照射体を、赤色発光素子からの赤色光の波長域と同範囲の波長域の光を反射させる赤色照射体、緑色発光素子からの緑色光の波長域と同範囲の波長域の光を反射させる緑色照射体、および、青色発光素子からの青色光の波長域と同範囲の波長域の光を反射させる青色照射体から構成させるようにすれば一層よい。
【００２４】
なぜなら、導光板に入射してくる光自体が色純度の高いものである上、導光板から出射される光自体も色純度の高いものとなるためである。そのため、このようなバックライト装置を用いた液晶表示装置であれば、色純度の高いカラー表示が可能になる。
【００２５】
また、本発明では、種々の種類の色選択照射体を適用できる。例えば、色選択照射体が干渉フィルターから構成されていてもよい。また、色選択照射体に蛍光体を含むように構成させるとともに、上記光源から蛍光励起光を発するようにすることで、上記蛍光体を含む色選択照射体が、蛍光放射光を発するようにしてもよい。
【００２６】
なお、蛍光体を含ませた色選択照射体であれば、発色する蛍光（蛍光励起光）は、干渉フィルター等による反射光よりも色純度が高くなる。
【００２７】
また、色選択照射体が、コレステリック液晶から構成されていてもよい。ただし、コレステリック液晶からなる色選択照射体（コレステリック液晶反射体）による反射は、螺旋構造に依存するため、螺旋のねじれと同じ巻き方向の円偏光を反射する一方、反対方向のねじれの円偏光を透過させるようになっている。したがって、入射光の一方向の円偏光（例えば右円偏光）を反射させるようになっている。
【００２８】
そのため、例えば、導光板の入射端部から奥側（終端側）に向かう方向にコレステリック液晶反射体が並列されていると、導光板を進む光（コレステリック液晶反射体を透過してきた光）は、奥側に進むにしたがって、左円偏光の成分の比率が多くなってしまう。
【００２９】
そこで、本発明のバックライト装置では、導光板と反射膜との間に、位相差板を設けてられていることが好ましい。このような位相差板を設けておくと、左円偏光を右円偏光の状態に変調させ、左円偏光の成分の比率上昇を抑制できるためである。
【００３０】
また、コレステリック液晶反射体によって照射された光（円偏光）が向かう側の導光板には、その照射された光を直線偏光に変換させる１／２波長板が設けられていることが好ましい。
【００３１】
このような１／２波長板があれば、円偏光を直線偏光に変換できる。すると、例えば液晶表示パネルに設けた偏光板（例えば液晶表示パネルのバックライト側に設けた偏光板）の透過軸と直線偏光の向きとを一致させることができる。その結果、偏光板において、一部の光（直線偏光成分以外の光；全光におけるおよそ１／２の光）が吸収されるような事態が起こりえないことになる。したがって、光の利用効率の高いバックライト装置となる。
【００３２】
ところで、本発明の液晶表示装置は、上述のようなバックライト装置と、そのバックライト装置における色選択照射体からの光を利用して画面表示を行なう液晶表示パネルとを含むものであって、上記色選択照射体によって照射される特定波長域の光に対応させて、液晶表示パネルの一画素が形成されていることを特徴としている。
【００３３】
上述のバックライト装置は、光源からの光をスペクトル分離等することで、特定波長域の光（Ｒ光・Ｇ光・Ｂ光等）毎に、液晶表示パネルに照射させることができる。そこで、この特定波長域の光毎に対応して一画素を形成しておけば、色純度の高い各画素を形成することができることになる。
【００３４】
その上、本発明の液晶表示装置では、上記色選択照射体によって照射される特定波長域の光に対応させて、その光を透過させるカラーフィルターが備えられていることが好ましい。例えばこの特定波長域の光毎にカラーフィルター〔例えばＲ光が照射される箇所には、Ｒ光を透過させるカラーフィルター（Ｒカラーフィルター）等〕を設けておけば、光を吸収するという事態は起こりえない。したがって、光の利用効率の高い液晶表示装置となるためである。その上、上述したように、カラーフィルターにおいて、光吸収が起こりえないだけではなく、カラーフィルターによって、入射してくる光（色選択照射体による反射によって照射される光）を着色できるため、色純度の高い一画素を形成させることができ、ひいては、色純度の高いカラー表示ができる液晶表示装置となるためである。
【００３５】
ただし、液晶表示装置が例えば半透過型液晶表示装置の場合、一画素は、色選択照射体からの光で画面表示を行なう透過領域と、外光を反射させた光で画面表示を行なう反射領域とから構成されている。そこで、上記透過領域を上記色選択照射体と対応させるように配設することで、色選択照射体によって照射される特定波長域の光が、上記透過領域に照射されるようにしていることが好ましい。
【００３６】
このような液晶表示装置であれば、上述同様に、透過領域の色純度が高まり、一画素の色純度も高まる。さらに、各画素の色純度が高まることから、色純度の高いカラー表示ができる液晶表示装置となるためである。
【００３７】
また、透過領域に一層の光を集光（偏向等）させるためには、上記光学素子が、上記透過領域に対応して設けられていることが好ましい。具体的には、上記光学素子が、素子平面において（平面上において）、充填率７５％以上で配設されていることが好ましい。
【００３８】
このように充填率７５％以上となるように配設（充填）させるには、例えば、一画素が一方向に繰り返し並列し、さらにその並列した複数の画素が上記一方向に対する垂直方向に並列することで、画素が格子状に配設されている場合、各画素における上記垂直方向側の端部に、上記透過領域を配設させるとともに、上記一方向で隣り合う画素においては向かい合うように配設させることで、例えば円形状の光学素子を充填させるようにしてもよいし、各画素における中心に、上記透過領域を配設させることで、上記同様、円形状の光学素子を充填させてもよい。
【００３９】
このように、光学素子を配列（充填）させることができれば、導光板の平面において極力多い数だけ光学素子（例えば最大限の数だけの光学素子）を配設させることができる。したがって、光源からの光を効率よく利用することができるためである。
【発明の効果】
【００４０】
本発明によれば、表示の明るさ（輝度等）を担保するために、光の利用効率を高めることができ、さらには、低消費電力で一定の明るさを確保できるバックライト装置・液晶表示装置となっている。
【発明を実施するための最良の形態】
【００４１】
〔実施の形態１〕
本発明の実施の一形態について、図面に基づいて説明すれば、以下の通りである。
〈液晶表示装置の構成について〉
本発明の液晶表示装置５９は、図１に示すように、液晶表示パネル４９とバックライト装置１９とから構成されている。なお、この液晶表示装置５９は、半透過型または透過型の液晶表示装置５９となっている。
《液晶表示パネルの構成について》
液晶表示パネル４９は、この図に示すように、アクティブマトリックス基板（ＡＭ基板）２１と、このＡＭ基板２９に対向する対向基板３９とをシール材（不図示）で貼り合わせ、これらの隙間に液晶２７を注入して形成されている。
【００４２】
ＡＭ基板２９は、ガラス基板（ＡＭ用ガラス基板）２１、偏光板（バックライト側偏光板）２２、薄膜トランジスタ（不図示）、および画素電極（透明電極）２３を含む構成である。
【００４３】
ＡＭ用ガラス基板２１は、ＡＭ基板２９のベース（ベース基板）となるガラス基板である。
【００４４】
バックライト側偏光板（裏偏光板）２２は、液晶表示パネル４９の非表示面側に設けたれている偏光板であり、バックライト装置１９からの反射光（バックライト光；照射光）における一部の光成分を反射・吸収させることで、特定の偏光成分だけを透過させるものである。なお、このバックライト側偏光板２２は、ＡＭ用ガラス基板２１上で、バックライト装置１９側の方向（対向基板３９側と逆方向）に積層されるようになっている（設けられている）。
【００４５】
薄膜トランジスタ（Thin Film Transistor；ＴＦＴ）は、液晶駆動用のアクティブ素子（スイッチング素子）であり、ゲート電極・ソース電極・ドレイン電極からなる３端子スイッチとなっている。なお、このＴＦＴは、ＡＭ用ガラス基板２１上で、対向基板３９側へ向く方向に積層されるようになっている。
【００４６】
画素電極２３は、ＴＦＴから加えられる電圧で、液晶２７の配向を変化させる電極である。そして、この画素電極２３は、ＡＭ用ガラス基板２１上で、対向基板３９側へ向く方向に積層されるようになっている。なお、この画素電極２３は、透明な化合物であるＩＴＯ（Indium Tin Oxide）によって形成されていることが好ましい。
【００４７】
対向基板３９は、ガラス基板（対向用ガラス基板）３１、偏光板（表示面側偏光板）３２、カラーフィルター３４、および対向電極（透明電極）３３を含む構成である。
【００４８】
対向用ガラス基板３１は、対向基板３９のベース（ベース基板）となるガラス基板である。
【００４９】
表示面側偏光板（表側偏光板）３２は、液晶表示パネル４９の表示面側に設けられている偏光板であり、カラーフィルター３４等を通過してきた光における特定の偏光成分だけを透過させるものである。なお、この表示面側偏光板３２は、対向用ガラス基板３１上で、液晶表示パネル４９の表示面側の方向（ＡＭ基板２９側と逆方向）に積層されるようになっている。
【００５０】
カラーフィルター３４は、Ｒ（レッド）・Ｇ（グリーン）・Ｂ（ブルー）のカラーを表示させるためのフィルターである。このカラーフィルター３４は、３色の着色層（色素を分散させた樹脂の層；Ｒ着色層３４・Ｇ着色層３４・Ｂ着色層３４）によって構成されており、対向用ガラス基板３１上で、ＡＭ基板２９側へ向く方向に積層されている。なお、図１では、カラーフィルター３４はストライプ状に配設されているが、これに限定されるものではない。
【００５１】
対向電極（透明電極）３３は、この対向電極３３と画素電極２３との間に配設されている液晶２７の配向を変化させるものであり、画素電極２３同様、透明な化合物であるＩＴＯによって形成されていることが好ましい。なお、この対向電極３３は、カラーフィルター３４上（カラーフィルター３４よりも上方）で、ＡＭ基板２９側へ向く方向に積層されている。したがって、ＡＭ基板２９に向かって、対向用ガラス基板３１上から（対向用ガラス基板３１より上方に）、カラーフィルター３４・対向電極３３が、この順で積層されるようになっている。
【００５２】
《バックライト装置の構成について》
バックライト装置１９は、液晶表示パネル４９に光（バックライト光）を照射するものであり、ＬＥＤ（light Emitting Diode）１１、ランプリフレクター（集光リフレクター）１２、コリメータレンズ（光平行化素子）１３、反射シート（反射膜）１４、導光板１５、干渉フィルター（Ｒ干渉フィルター・Ｇ干渉フィルター・Ｂ干渉フィルター）１、およびレンズシート（集光体）１７を含むように構成されている。なお、このバックライト装置１９は、ＡＭ基板２９の下方（液晶表示パネル４９の非表示面側の方向）に配設されている。
【００５３】
ＬＥＤ１１は、光（光線）を発光するものであり（いわゆる光源であり）、例えば管のような形状をしている。なお、このＬＥＤ１１は、導光板１５の一端側に配設されている。なお、ＬＥＤ１１は、単一で白色光を発光するものでもよいし、Ｒ光を発光する（Ｒ）ＬＥＤチップ（発光素子）、Ｇ光を発光する（Ｇ）ＬＥＤチップ、およびＢ光を発光する（Ｂ）ＬＥＤチップを組み合わして構成されるＬＥＤチップ（ＲＧＢチップ）であっても構わない。
【００５４】
ランプリフレクター１２は、ＬＥＤ１１からの光（照射光）を、導光板１５の一端（入射端）に向けて反射させるものである。なお、ランプリフレクター１２は、ＬＥＤ１１の管を取り巻くように取り付けられている。
【００５５】
コリメータレンズ１３は、ランプリフレクター１２からの反射光を平行光に変換させるものである。具体的には、ランプリフレクター１２からの光を、導光板１５の平面方向と同方向（板厚方向に対して垂直方向）になるように変換させている。
【００５６】
反射シート１４は、光利用効率の向上を図るために、ＬＥＤ１１からの光や導光板１５内部を伝搬する光を漏洩させることなく液晶表示パネル４９に向けて反射させるものである。
【００５７】
導光板１５は、ＬＥＤ１１からの光（コリメータレンズ１３を通過してきた平行光）を平面光に変換させるためのものであり、光の内部伝搬可能な透明樹脂（例えばアクリル樹脂等）から構成される平面導光体（面上導光体）である。なお、本発明では、日本ゼオン社製の透明樹脂ゼオノア〔屈折率およそ１．５、全反射角（臨界角）およそ４２度〕を導光体として使用した。
【００５８】
干渉フィルター（色選択照射体）１は、干渉作用により、可視光（ＬＥＤ１１からの光）における特定波長の光のみを反射させる一方、それ以外の波長の光を透過させるものである。なお、この干渉フィルター１は、例えば導光板１５内部において、同色で隣り合うことなく、一方向で繰り返し並列されるように（アレイ状）なっており、さらには、カラーフィルター３４のＲ・Ｇ・Ｂ（液晶表示パネル４９において平面的にＲＧＢ分割された各画素）と対応するように（対向するように）配設されている。また、干渉フィルター１は、導光板１５平面上でみると、格子状に配設されている。
【００５９】
レンズシート１７は、例えば集光レンズ（光学素子）１６の集まったシートであり、液晶表示パネル４９に入射する光の放射特性を偏向（例えば集光）させることで〔具体的には、液晶表示パネル４９に注目する観察者側（観視方向）に、干渉フィルター１によって照射される光を偏向させることで〕、その液晶表示パネル４９の単位面積あたりの輝度を向上させるものである。なお、このレンズシート１７は、干渉フィルター１によって照射される光が導光板１５を通過して向かう側に配設されている。また、集光レンズ１６の形状は、円形や矩形（方形）、６角形等であっても構わない。
【００６０】
なお、導光板１５上で、液晶表示パネル４９に向かう方向に、レンズシート１７が積層されるようになっている（設けられている）。また、導光板１５上で、レンズシート１７に対向する方向（逆方向）には、反射シート１４が積層されるようになっている。
【００６１】
〈バックライト装置・液晶表示装置の機能・効果について〉
ここで、本発明の特徴的な機能（作用）・効果について説明する。
【００６２】
バックライト装置１９のＬＥＤ１１からの白色光（白色光線）は、導光板１５の入射端面（入射端部）からその導光板１５自身の内部に入射していく。すると、入射光（白色光）は、導光板１５を形成する媒体の屈折率に依存して、全反射角以上の入射角度（例えば上記のゼオノアでは、±４２度以上）で導光板１５内部を伝搬していく。
【００６３】
なお、入射角度・全反射角（全反射角度）は、導光板１５の平面の法線方向（平面の垂直方向）からの傾きによって定義される角度である。そして、この全反射角に満たない入射角度を有する光は、導光板１５に入射しても透過屈折される一方、超える入射角度を有する光は、導光板１５に入射すると全反射されるようになっている。
【００６４】
そして、この伝搬した光（白色光）は、まずＲ干渉フィルター１に到達する。すると、このＲ干渉フィルター１によって、白色光（Ｗ光）のうち赤色光（Ｒ光）は反射される。しかしながら、干渉フィルター１の特性により、その他の緑色光（Ｇ光）と青色光（Ｂ光）は透過する。
【００６５】
一方、Ｒ干渉フィルター１は、Ｒ光を導光板１５の全反射角以内の入射角度となるようにして反射させる。したがって、Ｒ光は、導光板１５を通過して（集光されて）液晶表示パネル４９の平面に向かって進行方向となり、さらにはレンズシート１７を通過（透過）して、液晶表示パネル４９に入射するようになる。すると、Ｒ干渉フィルター１はＲカラーフィルター３４と重なり合うように位置しているため、集光されたＲ光は、Ｒカラーフィルター３４に入射するようになる。
【００６６】
他方、Ｒ干渉フィルター１を透過したＧ光およびＢ光は、さらに導光板１５を奥（終端側；入射端と対向する端部側）の方へ伝搬する。そして、Ｒ干渉フィルター１に並列配設されたＧ干渉フィルター１にＧ光・Ｂ光が到達すると、Ｇ干渉フィルター１は、上述同様、Ｇ光を導光板１５の全反射角以内の入射角度となるようにして反射させるとともに、Ｂ光を透過させる。
【００６７】
また、Ｇ干渉フィルター１に並列配設されたＢ干渉フィルター１にＢ光が到達すると、Ｂ干渉フィルター１も、上述同様、Ｂ光を導光板１５の全反射角以内の入射角度となるようにして反射させる。つまり、白色光は、Ｒ干渉フィルター１・Ｇ干渉フィルター１・Ｂ干渉フィルター１で順次反射される。そのため、全ての光が反射され、各光（Ｒ光・Ｇ光・Ｂ光）に対応した（Ｒ光・Ｇ光・Ｂ光をそれぞれ透過させる）カラーフィルター３４（Ｒカラーフィルター・Ｇカラーフィルター・Ｂカラーフィルター）に入射するようになる。
【００６８】
以上のように、本発明のバックライト装置１９では、導光板１５の内部に、白色光等（バックライト光）の波長域を分割させた一部分から成る特定波長域の光を反射させることで照射させる一方、残りの波長域の光を透過させる干渉フィルター１が設けられている。特に反射される特定波長域の各々の光に対応した干渉フィルター１（Ｒ干渉フィルター１・Ｇ干渉フィルター１・Ｂ干渉フィルター１）が設けられている。
【００６９】
そのため、バックライト光源（ＬＥＤ１１）から発せられた白色光は、干渉フィルター１の反射特性により（すなわち反射するか透過するかで）、スペクトル分離されるだけである。つまり、Ｒ光・Ｇ光・Ｂ光に分離された光の各々が、効率良くカラー表示に利用されるようになっている。
【００７０】
一例を挙げて説明すると、上記のような干渉フィルター１を具備していない従来の液晶表示装置（従来装置）では、光吸収型のカラーフィルター（吸収型カラーフィルター）で全光線の２／３に相当する光が吸収されていた（例えばＲカラーフィルターではＧ光・Ｂ光が吸収されていた）。しかしながら、本発明では、白色光の状態でカラーフィルター３４へ入射しないため、吸収型カラーフィルター３４による吸収が生じない（例えば、Ｒ光はＲカラーフィルター３４に入射するため、Ｒカラーフィルター３４が、Ｇ光・Ｂ光を吸収するという事態は起こりえないことになる）。
【００７１】
したがって、原理的には、本発明の液晶表示装置５９における光の利用効率は、従来装置の３倍となり、極めて光利用効率（光の利用効率）の高い液晶表示装置５９となる。つまり、本発明のバックライト装置１９を用いると、白色光の一部の光が吸収されることはないので、光損失を生じ得ない（光利用効率が高い）液晶表示装置５９を製造することができる。
【００７２】
また、本発明の液晶表示装置５９では、従来装置に比べて、光の利用効率が３倍になることから、従来装置と同じ輝度表示（明るさの表示）を行なおうとした場合、ＬＥＤ１１に使用する消費電力をおよそ１／３に抑制させることができる。したがって、液晶表示装置５９の電池等の寿命が、原理上は３倍になるといえる。
【００７３】
なお、本発明のバックライト装置１９を用いれば、上述の通り、白色光を各色にスペクトル分離できるので、液晶表示装置５９にカラーフィルター３４を設けることなく、カラー表示することもできる。
【００７４】
しかし、一層の色純度の高いカラー表示を実現しようとするなら、上述のように、各色の干渉フィルター１に対応して、カラーフィルター３４を設けた液晶表示装置５９のほうが好ましい。
【００７５】
つまり、干渉フィルター１によって反射された各光（Ｒ光・Ｇ光・Ｂ光）が、対応したカラーフィルター（Ｒカラーフィルター・Ｇカラーフィルター・Ｂカラーフィルター）３４に入射するようにすればよい。すると、各カラーフィルター３４は、入射してくる光を吸収するようなことはあり得ない。なぜなら、Ｒカラーフィルター３４にはＲ光しか入射しないため、Ｒカラーフィルター３４が、Ｇ光・Ｂ光を吸収するという事態は起こりえないためである。
【００７６】
したがって、本発明の液晶表示装置５９では、カラーフィルター３４を設けたとしても、光吸収に起因する光損失はほとんど起こらず（光損失を最小限に抑えつつ）、その上、迷光等による不純光のカラーフィルター３４からの出射も防止でき、一層の色純度の高いカラー表示可能な液晶表示装置５９となる。
【００７７】
また、本発明の液晶表示装置５９では、干渉フィルター１によって照射される特定波長域の光によって画面表示が成される場合、その特定波長域の光を視認できる液晶表示パネル４９上の画面表示領域を一画素とすることで、上記の通り、色純度の高いカラー表示可能な液晶表示装置５９となるともいえる。
【００７８】
また、本発明の液晶表示装置５９では、干渉フィルター１によって照射される特定波長域の光が透過するようにカラーフィルター３４を配設し、それぞれのカラーフィルター（Ｒカラーフィルター・Ｇカラーフィルター・Ｂカラーフィルター）３４を通して、その特定波長域の光を視認できる液晶表示パネル４９上の画面表示領域を一画素とすることで、一層色純度の高いカラー表示可能な液晶表示装置５９となるともいえる。
【００７９】
〔実施の形態２〕
本発明の第２の実施形態について説明する。なお、実施の形態１で用いた部材と同様の機能を有する部材については、同一の符号を付記し、その説明を省略する。
【００８０】
実施の形態１では、干渉フィルター１を導光板１５の内部に設けることによって、光の利用効率の高いバックライト装置１９およびそれを備えた液晶表示装置５９について説明した。しかし、選択的に所望の色の光を反射させる部材は、この干渉フィルター１に限定されるものではない。そこで、実施の形態２では、干渉フィルター１とは異なる反射部材として使用できる、コレスティック液晶反射体（ＣＨ反射体）２について図２を用いて説明する。
【００８１】
〈コレステリック液晶反射体について〉
ＣＨ反射体２の材料となるコレステリック液晶（ＣＨ液晶材料）は、一方向にそろって配向した分子層が積層し、かつ、隣り合う分子層毎に配向方向がずれた分子配列を有する分子材料である。そして特に、積層された分子層の各々の配向方向が螺旋状の周期となっているため、ＣＨ反射体２は、螺旋ピッチに対応した波長の光（特定波長の光）を選択反射させるとともに、それ以外の波長の光を透過させるようになっている。
【００８２】
そこで、導光板１５内部を伝搬していく光（白色光）がＣＨ反射体２によって反射される流れについて説明する。白色光は、まず（Ｒ）ＣＨ反射体２に到達し、Ｒ光のみ液晶表示パネル４９の平面に向かって反射される（Ｒ光は導光板１５の全反射角以内の入射角度となるようにして反射される；反射色はＲ）。そして、残りのＧ光とＢ光は、（Ｒ）ＣＨ反射体２を透過し、さらに導光板１５を奥（終端側；入射端と対向する端部側）の方へ伝搬していき（Ｇ）ＣＨ反射体２に到達する。すると、（Ｇ）ＣＨ反射体２は、上記同様、Ｇ光のみを液晶表示パネル４９の平面に向かって反射させるとともに、Ｂ光を透過させる。そして、Ｂ光が、（Ｂ）ＣＨ反射体２に到達すると、（Ｂ）ＣＨ反射体２が液晶表示パネル４９の平面に向かって反射させる。
【００８３】
つまり、干渉フィルター１を設けた導光板１５同様、白色光は、（Ｒ）ＣＨ反射体２・（Ｇ）ＣＨ反射体２・（Ｂ）ＣＨ反射体２で順次反射される。そのため、全ての光が導光板１５の全反射角以内の入射角度となるようにして反射され、各光（Ｒ光・Ｇ光・Ｂ光）に対応したカラーフィルター（Ｒカラーフィルター・Ｇカラーフィルター・Ｂカラーフィルター）３４に入射するようになる。
【００８４】
したがって、本発明では、上述の干渉フィルター１に替えて、ＣＨ反射体２を用いると、すなわち（Ｒ）ＣＨ反射体２・（Ｇ）ＣＨ反射体２・（Ｂ）ＣＨ反射体２を、同色で隣り合うことなく、一方向で繰り返し並列されるようにして、バックライト装置１９を形成させるとともに、これらのＣＨ反射体の色（反射色）とカラーフィルター３４の色（透過色）とを対応させるようにして液晶表示装置５９を形成させると、上述同様の効果を得ることができる。
【００８５】
ただし、ＣＨ反射体２の反射は、螺旋構造に依存するため、螺旋のねじれと同じ巻き方向の円偏光を反射する一方、反対方向のねじれの円偏光を透過させるようになっている。したがって、導光板１５の平面（反射面）に対してほぼ垂直な配向（プレーナ配向）を有するようにＣＨ反射体２〔（Ｒ）ＣＨ反射体２・（Ｇ）ＣＨ反射体２・（Ｂ）ＣＨ反射体２〕を設けると、入射光の一方向の円偏光（例えば右円偏光）を反射させるようになってしまう。
【００８６】
そこで、バックライト装置１９における導光板１５と反射シート１４との間に、位相差シート（位相差板）６を設けるとともに、導光板１５とレンズシート１７との間に、λ／２波長板（１／２波長板；なお、λは入射光の波長）７を設けることが好ましい。
【００８７】
位相差シート６は、光利用効率の向上を図るために、反射シート１４からの反射光や導光板１５内部を伝搬する光の偏光状態を変調させ、例えば一方向の円偏光に偏るのを防止させるものである。
【００８８】
例えば、コリメータレンズ１３からの光線における右円偏光は、まず、（Ｒ）ＣＨ反射体２によって、液晶表示パネル４９に向かって反射させられる。すると、右円偏光の成分は減少しながら、順次（Ｇ）ＣＨ反射体２・（Ｂ）ＣＨ反射体２へと光が到達することになる。つまり、導光板１５の奥側（終端側）に進むにしたがって、左円偏光の成分の比率が多くなってしまう。そこで、ＣＨ反射体２を導光板１５に設ける場合、この位相差シート６によって、左円偏光を右円偏光の状態に変調させ、左円偏光の成分の比率上昇を抑制させるようにしている。
【００８９】
λ／２波長板（λ：入射光の波長）７は、ＣＨ反射体２によって反射された例えば円偏光を直線偏光に変換するものである。具体的には、円偏光等から変換させた直線偏光の向きと、バックライト側偏光板２２の透過軸とを一致させるものである。このようにすると、バックライト側偏光板２２において、一部の光（直線偏光成分以外の光；全光におけるおよそ１／２の光）が吸収されるような事態が起こりえないようにできる。したがって、従来の液晶表示装置５９に比べて光効率を２倍向上させることができるためである。
【００９０】
つまり、本発明の液晶表示装置５９では、バックライト側偏光板２２に光（バックライト装置１９からの反射光）が到達する前に、λ／２波長板７を設けることで、光の一部吸収が起こらないようにしている。そのため、本発明の液晶表示装置５９では、従来装置に比べて、光の利用効率が２倍になっている。さらには、このλ／２波長板７と、ＣＨ反射体２とを設けることで、本発明の液晶表示装置５９は、原理的には、従来装置に比べて、光の利用効率が６倍になっているといえる。そのため、明るい表示が得られるとともに、使用時間の長寿命化も達成できる。
【００９１】
〈コレステリック液晶反射体を備える導光板の形成について〉
ここで、図３を用いて、導光板１５内部に、ＣＨ反射体２を形成させる方法（形成工程）についていくつか説明する。
【００９２】
《温度によって、反射色が変わるコレステリック液晶を用いた場合》
まず、導光板１５の平面に対して異なる傾斜角を有する空隙（溝）が並ぶように（例えば鋸歯形状に）刻まれ（形成され）、かつ、互いに噛み合うようになった透明導光体１５ａ・１５ｂを用意する。そして、一方の透明導光体１５ａの鋸歯面上に、反射色を変調できる重合性（光重合性）のコレステリック液晶を塗布する（図３（ａ）参照）。
【００９３】
なお、塗布するコレステリック液晶の粘度によっては、適当な溶媒で希釈してから塗布を行い、溶媒を揮発させてもよい。また、重合前の状態で温度によって反射色の変調可能なコレステリック液晶（ＣＨ液晶材料）を用いている。
【００９４】
次に、透明導光体１５ａ・１５ｂの２つの鋸歯が噛み合うような状態で、上下方向からプレスを行い、位置ずれしないようにして両者を貼り合わせる。そして、コレステリック液晶が赤色反射（Ｒ光反射）するような温度（およそ７０℃程度）に加温しながら、フォトマスク（スリットを有するマスク）６１で部分的に光線〔活性光線；紫外線（ＵＶ）等〕を透過させて、所望の位置に光線を照射させる。すると、光重合により、Ｒ光を選択反射できる（Ｒ）ＣＨ反射体２が、所望の位置に形成される（図３（ｂ）参照）。
【００９５】
続いて、上記同様の手段で、順次、温度（例えば降温させながら；Ｇ光反射するような温度、およそ５５℃程度・Ｂ光反射するような温度、およそ４０℃程度）を変化させて、（Ｇ）ＣＨ反射体２・（Ｂ）ＣＨ反射体２を所望の位置に形成させる（図３（ｃ）・図３（ｄ）参照）。
【００９６】
なお、（Ｒ）ＣＨ反射体２・（Ｇ）ＣＨ反射体２・（Ｂ）ＣＨ反射体２の配設位置は、互いに一定間隔離れながら、かつ異なる色で隣り合うような位置となっている〔例えば導光板１５の内部で、（Ｒ）ＣＨ反射体２・（Ｇ）ＣＨ反射体２・（Ｂ）ＣＨ反射体２の順で、繰り返し一方向に並んだ並列状（アレイ状）の位置となっており、かつ導光板１５平面上でみると、格子状に配設されている〕。
【００９７】
ところで、導光板１５内の光伝搬性を確保するため、（Ｒ）ＣＨ反射体２・（Ｇ）ＣＨ反射体２・（Ｂ）ＣＨ反射体２以外のコレステリック液晶（コレステリック液晶膜）の部分は、光透過性とさせたい。そこで、残りの部分のコレステリック液晶は、再度加温して（およそ９０℃程度に加温して）透方相とし、活性光線を照射させる（図３（ｅ）参照）。その結果、導光板１５の内部に（Ｒ）ＣＨ反射体２・（Ｇ）ＣＨ反射体２・（Ｂ）ＣＨ反射体２が一定間隔解離しながら、一方向に並列するように配設されるとともに、それ以外の部分は透明なコレステリック液晶の膜（透明体）となる（図３（ｆ））。
【００９８】
なお、透方相で重合されたコレステリック液晶の膜（透明体）は、どの方向にも均一な屈折率〔(ｎx+ｎy+ｎz)／３；ｎx…Ｘ方向の屈折率（＝１．７２）、ｎy…Ｙ方向の屈折率（＝１．５３）、ｎz…Ｚ方向の屈折率（＝１．５３）〕を有する媒体としたい。そこで、導光板１５の屈折率と、コレステリック液晶の屈折率とを、ほぼ等しくなるようにしておくことが好ましい（例えば、ｎx＝ｎy＝ｎz＝１．５９程度としておきたい）。そうすれば、導光板１５内部の散乱や界面反射が抑えられるためである。
【００９９】
《照射光線量によって、反射色が変わるコレステリック液晶材料を用いた場合》
上述では、温度によって反射色の変調可能なコレステリック液晶を用いていたが、これ以外の材料でも、ＣＨ反射体２を形成させることはできる。そこで、例えば照射光線量によって、反射色が変わるコレステリック液晶（例えば、Adv. Mater. 2003, 15, No.17, P.1420参照）を用いて、ＣＨ反射体２の形成について説明する。
【０１００】
なお、このようなコレステリック液晶（ＣＨ液晶材料；例えば１，１’−ビナフトールの２位および２’位に置換基のついた誘導体）の場合、通常、重合禁止剤となる酸素を多く含む空気雰囲気下で、微弱な光量を照射（ＵＶ照射）させることで、反射色を変調（変化）させるカラーチューニング照射プロセス（ＣＴ照射プロセス）と、窒素雰囲気下で、強い光量を照射させることで、重合させる（コレステリック液晶の配向を固定化させる）重合照射プロセスとを用いて、ＣＨ反射体２を形成させるようになっている。
【０１０１】
しかしながら、部分的に光線を通過させるとともに、各スリットを通過する照射光量を変化させたハーフトーントマスク６２を用いることで、１回のＣＴ照射プロセスのみで、ＣＨ反射体２を製造できる方法（製造工程）がある。そこで、コレステリック液晶の方法を図４を用いて説明する。
【０１０２】
まず、上述同様、互いに噛み合う鋸歯形状の刻まれた透明導光体１５ａ・１５ｂにおける一方の透明導光体１５ａの鋸歯面上に、照射光量によって反射色を変調できる重合性（光重合性）のコレステリック液晶（ＣＨ液晶材料）を塗布する（図４（ａ）参照）。
【０１０３】
この場合、塗布後のコレステリック液晶は、紫色を反射させるようになっている。まず、ハーフトーンマスク６２を介して、紫外線〔およそ４５０Ｊ（ジュール）程度の照射光量（初期光量）；４．５ｍＷ／ｃｍ2×１０００ｓｅｃ〕をあてる。
【０１０４】
すると、スリットのハーフトーンにより（例えば、（Ｂ）ＣＨ反射体２を形成させたい領域に光量を１／３０に低減させるハーフトーン、（Ｇ）ＣＨ反射体２を形成させたい領域に光量を１／１０に低減させるハーフトーン、（Ｒ）ＣＨ反射体２を形成させたい領域に光量を１／３に低減させるハーフトーンにより）、照射光量が減少して、コレステリック液晶に照射される。
【０１０５】
このコレステリック液晶は照射光量によって、反射させる色（反射色）が変化するので、１５Ｊ程度の照射光量が照射される箇所には、（Ｂ）ＣＨ反射体２が形成され、４５Ｊ程度の照射光量が照射される箇所には、（Ｇ）ＣＨ反射体２が形成され、１５０Ｊ程度の照射光量が照射される箇所には、（Ｒ）ＣＨ反射体２が形成されるようになる（図４（ｂ）参照）。つまり、このようなコレステリック液晶は、照射光量が多くなるにつれて、Ｂ光反射、Ｇ光反射、Ｒ光反射できるように変化していく。
【０１０６】
なお、ＣＨ反射体２の設けられない領域（残りの領域）では、コレステリック液晶を透方相とするため、光量を低減させずにおよそ４５０Ｊの照射光量をあてるようになっている。（図４（ｂ））。すると、赤外光を反射させる透明なコレステリック液晶の膜（透明体）が形成される。その結果、上述同様、導光板１５の内部に、（Ｒ）ＣＨ反射体２・（Ｇ）ＣＨ反射体２・（Ｂ）ＣＨ反射体２が一定間隔解離しながら、一方向に並列するように配設されるとともに、それ以外の部分は透明なコレステリック液晶の膜（透明体）となる（図４（ｃ））。
【０１０７】
つまり、このＣＨ反射体２の製造方法では、１種類のハーフトーンマスク６２を介して紫外線を照射させるだけで、ＣＨ反射体２を形成させることができる。したがって、温度によって反射色を変調させるコレステリック液晶のように、４種類ものフォトマスク６１を介して紫外線を照射させる必要はない。そのため、製造効率のいいＣＨ反射体２の製法といえる。
【０１０８】
なお、上述では、２つの同一形状の透明導光体１５ａ・１５ｂを貼り合わせて導光板１５を形成させていたが、これに限定されるものではない。例えば一方の透明導光体（例えば透明導光体１５ｂ）には鋸歯形状がなくても構わない。この場合、２つの導光体を貼り合わせる際の位置ずれを気にしなくて構わないという利点がある。
【０１０９】
また、上述では、予めコレステリック液晶を一方の透明導光体（例えば透明導光体１５ａ）に塗布した後、他方の透明導光体１５ｂの貼り合わせを行なったが、２つの導光体１５ａ・１５ｂを貼り合わせた後、コレステリック液晶を両透明導光体１５ａ・１５ｂから構成される空隙に注入するようにしてもよい。
【０１１０】
ところで、上述のコレステリック液晶は、例えば通常のコレステリック液晶材料に、強い捩り力を持つ添加物〔例えば（Ｒ）体もしくは（Ｓ）体の１，１’−ビナフトールの２位および２’位に置換基のついた誘導体〕を重量比で数％混合して得られる。そして、この添加物に紫外線が照射されると、添加物のキラル性が消失し、結果として紫外線照射量に依存してコレステリック液晶混合物のツイストピッチが変化するようになる。なお、添加物の捩り方向は、添加される側のコレステリック液晶材料と同じ方向を持っていても良いし、逆方向であっても良い。
【０１１１】
また、本実施例のように添加物の捩れ方向とコレステリック液晶材料の捩れ方向とが同方向の場合、紫外線照射によりコレステリック液晶混合物の捩り力が弱まる方向となるので、初めに混合物を近紫外から青域の選択反射（Ｂ光反射）をするように調整しておき、紫外線照射量の調整により、より長波長の緑反射（Ｇ光反射）、赤反射（Ｒ光反射）および赤外反射による透明状態を得ることができる。
【０１１２】
〔実施の形態３〕
本発明の第３の実施形態について説明する。なお、実施の形態１・２で用いた部材と同様の機能を有する部材については、同一の符号を付記し、その説明を省略する。
【０１１３】
実施の形態１・２では、干渉フィルター１・コレステリック液晶反射体２について説明した。そこで、次に、これらの（干渉フィルター１・コレステリック液晶反射体２）の配設位置について図５を用いて説明する。
【０１１４】
〈干渉フィルター・ＣＨ反射体の配設位置について〉
一般的に、干渉フィルター１・ＣＨ反射体２（色選択照射体と称する場合がある）によって反射された光（反射光）の波長特性は、光の入射角度〔色選択照射体の反射面への入射角度（α°）〕に依存する。そのため、導光板１５内部で、最も多く存在する光線の角度に対応するように、色選択照射体を設計することが好ましい（最も多く存在する光線の角度に対応して、所望の波長の光を反射できるように色選択照射体を傾ける必要がある）。
【０１１５】
通常、コリメータレンズ１３の効果もあって、導光板１５内部では、導光板１５の底部における平面に対して平行な角度を有する光線が最も多い。そこで、色選択照射体が所望の波長の光を反射させるために必要な角度、すなわち色選択照射体における反射面の垂直方向（色選択照射体における反射箇所の法線方向）からの傾き角度（入射角度）をα°、導光板１５の底部の平面〔液晶表示パネル４９が設けられていない側（非表示面側）の導光板１５の平面〕に対する色選択照射体の傾き角度（配設角度）をβ°、と定義する。すると、「β°＝９０°−α°」という関係が成立するように、色選択照射体を傾けるように配設すればよいことになる。
【０１１６】
例えば所望の反射光を得る場合に、光の入射角度（α）が４５°必要な場合、色選択照射体の配設角度（β）を４５°にすればよいことになる。なお、α°の傾き方向が、導光板１５の側に向かう場合「＋」、底側と逆方向に向かう場合「−」と規定する。また、β°の角度の範囲は、０°≦β°≦９０°と規定する。
【０１１７】
また、本発明で使用した導光板１５の全反射角はおよそ４２°であるので、色選択照射体には「（９０°−β）±４２°」の範囲の光線（「（９０°−β）±全反射角」の範囲の入射角度γ°を有する光線）が入射することにもなる。そこで、本発明のバックライト装置１９では、この角度内で、各カラーフィルター３４（各画素）に対応する色を反射できるような色選択照射体を設計するようにしている。
【０１１８】
以上のように、「（９０−β）±４２°」（「（α°−上記導光板の全反射角度）≦γ°≦（α°＋上記導光板の全反射角度）」）という関係を満たすように、色選択照射体を設計し、かつ「β＝９０°−α」というような関係を満たすように、色選択照射体を傾けるように配設すると、この色選択照射体によって、本発明のバックライト装置１９は、確実に白色光（Ｗ光）をＲ光・Ｇ光・Ｂ光に分離させることができる。また、本発明の液晶表示装置５９であれば、確実にこの分離された光の各々を、効率良くカラー表示に利用できる。
【０１１９】
〔実施の形態４〕
本発明の第４の実施形態について説明する。なお、実施の形態１〜３で用いた部材と同様の機能を有する部材については、同一の符号を付記し、その説明を省略する。
【０１２０】
実施の形態１〜３では、色選択照射体およびその配設位置について説明した。そして、これらの説明では、Ｒ・Ｇ・Ｂのカラーフィルター３４（液晶表示パネル４９において平面的にＲＧＢ分割された各画素）の配置と、色選択照射体の配置とは、対応するようになっている（両者が重なるように配設されている）。つまり、色選択照射体によって照射される特定波長域の光に対応させて、その光を透過させるカラーフィルター３４が対応するように備えられている。
【０１２１】
〈半透過型液晶表示装置における色選択照射体・カラーフィルターの配設について〉
そこで、次に、半透過型液晶表示装置５９における色選択照射体・カラーフィルター３４の種々の配設（形状）について、図６〜図１１を用いて詳説する。なお、これらの図では、色選択照射体として、ＣＨ反射体２を用いるものとする。
【０１２２】
まず、図６・図７（図６の液晶表示パネル４９を概略平面表示し、バックライト装置１９を概略断面表示した説明図）に示すように、一般的に半透過型液晶表示装置の場合、一画素は（具体的には、ＡＭ用ガラス基板２１上には）、バックライト光を利用して透過表示に寄与する部分（透過表示部４１；透過領域）と、外光を反射して反射表示に寄与する部分（反射表示部４２；反射領域）とを含むように構成されている。
【０１２３】
なお、これらの部分（透過表示部（透過開口部）４１・反射表示部４２）は、感光性透明樹脂をＡＭ用ガラス基板２１に塗布した後、フォトレジストによって、段差を有するパターンを作ることによって形成される。具体的には、反射表示部４２が、凸状にすることで液晶２７のギャップ幅（ＡＭ基板２９と対向基板３９とに挟まれた液晶２７の間隔）を短くした部分（透過表示部４１におけるギャップ幅よりも短くしたギャップ幅を有する部分）となっており、透過表示部４１が、凹状にすることで反射表示部４２における液晶２７のギャップ幅よりも長くしたギャップ幅を有する部分となっている。
【０１２４】
そして、このような液晶表示装置５９が半透過型液晶表示装置５９の場合、色選択照射体からの光は、レンズシート１７を介して、透過表示部４１に照射されるようにすることが好ましい。なぜなら、このような液晶表示装置５９であれば、透過表示部４１の色純度が高まり、一画素の色純度も高まる。さらに、各画素の色純度が高まることから、色純度の高いカラー表示ができる液晶表示装置５９となるためである。
【０１２５】
そのため、半透過型液晶表示装置５９でのカラーフィルター３４は、透過表示部４１に対応する（重なる）カラーフィルター３４の部分を、透過型カラーフィルター３４とし、反射表示部４２に対応するカラーフィルター３４の部分を、反射型カラーフィルター３４となるように構成されている。
【０１２６】
つまり、ＣＨ反射体２からの反射光を透過させる、透過型カラーフィルター（Ｒ’カラーフィルター・Ｇ’カラーフィルター・Ｂ’カラーフィルター）３４と、外光を反射させる反射型カラーフィルター（ｒ’カラーフィルター・ｇ’カラーフィルター・ｂ’カラーフィルター）３４とから、各色カラーフィルター（Ｒカラーフィルター・Ｇカラーフィルター・Ｂカラーフィルター）３４が構成されるようになっている（透過型カラーフィルター３４・反射型カラーフィルター３４の色をそれぞれ１色と考えると、６色カラーフィルター３４となっている）。
【０１２７】
《第１例》
そこで、一例として、例えば、図６・図７に示すように、反射型カラーフィルター３４・透過型カラーフィルター３４・反射型カラーフィルター３４の順で一方向に並列したカラーフィルター３４（例えばｒ’カラーフィルター・Ｒ’カラーフィルター・ｒ’カラーフィルターの順で並列したＲカラーフィルター３４）が、さらに同色で隣り合うことなく上記一方向と同方向に並列された場合〔Ｒカラーフィルター３４（Ｒ画素）・Ｂカラーフィルター３４（Ｇ画素）・Ｇカラーフィルター３４（Ｂ画素）の順で並列されて一絵素を構成する場合〕が挙げられる。
【０１２８】
かかる場合、各透過型カラーフィルター３４が色選択照射体に対応しているため、集光レンズ１６・色選択照射体（ＣＨ反射体２）は、各透過型カラーフィルター３４と重なり合うように（対応するように）、バックライト装置１９に配設されることになる。
【０１２９】
つまり、色選択照射体も、カラーフィルター３４並列方向では、同色が隣り合うことなく、一方向に並列されるようになっており（ストライプ状に配設されるようになっており）、かつ、色選択照射体と重なり合っている（対応する）カラーフィルター３４との色が同色となる（重なり合っている色選択照射体の反射色と、カラーフィルター３４の透過色・反射色とが同色となる）。
【０１３０】
その結果、上述のように、色選択照射体からの光を、レンズシート１７を介して、透過表示部４１に照射させることができる。なお、色選択照射体（画素）は、導光板１５平面上でみると、格子状に配設されている。また、この図６では、平面形状を矩形とする集光レンズ１６から成るレンズシート１７が配設されている。したがって、集光レンズ１６が平面上において最密充填されているともいえる。
【０１３１】
《第２例》
次の一例としては、例えば図８・図９〔図８のＡ−Ａ’線矢視断面図（図９（ａ））、およびＢ−Ｂ’線矢視断面図（図９（ｂ））〕のように、ある１つの画素（例えばＲ画素；Ｒカラーフィルター３４）における例えば長手方向の端部に、Ｒ’カラーフィルター３４が配設され、その隣の画素（Ｇ画素）では、配設されたＲ’カラーフィルター３４と対向する長手方向の位置にＧ’カラーフィルター３４が配設され、さらに、Ｇ画素と隣り合うＢ画素では、配設されたＧ’カラーフィルター３４と対向する長手方向の位置にＢ’カラーフィルター３４が配設される場合が挙げられる。
【０１３２】
つまり、かかる場合では、同色が隣り合うことなく一方向に並列されたカラーフィルター３４（画素）において、そのカラーフィルター（Ｒ・Ｇ・Ｂカラーフィルター）３４における透過型カラーフィルター（Ｒ’・Ｇ’・Ｂ’カラーフィルター）３４が、上記の一方向に対して垂直方向側のカラーフィルター３４（画素）の端部に配設されるとともに、隣り合うカラーフィルター３４（画素）においては向かい合うように配設されることで、互い違いとなるように（交互に）配設され、かつ、その透過型カラーフィルター（Ｒ’・Ｇ’・Ｂ’カラーフィルター）３４以外の部分に反射型カラーフィルター（ｒ’・ｇ’・ｂ’カラーフィルター）３４が配設されるようになる（つまり、反射型カラーフィルター３４も交互に配設されるようになる）。
【０１３３】
そして、かかる場合でも、各透過型カラーフィルター３４が色選択照射体に対応しているため、集光レンズ１６・色選択照射体（ＣＨ反射体２）は、各透過型カラーフィルター３４と重なり合うように（対応するように）、バックライト装置１９に配設されることになる。すると、色選択照射体（ＣＨ反射体２）は、ストライプ状に配設されているのではなく、点状（例えばトライアングル状や千鳥状）に配設されることになる。
【０１３４】
その上、透過型カラーフィルター３４にバックライト光を集光させようとする集光レンズ１６が（例えば平面形状がほぼ円形である集光レンズ１６が）、平面上（集光レンズ１６の配設平面上）において充填されるようになる（例えば三角最密構造をとるようになる）。そのため、平面において極力多い数の集光レンズ１６（例えば最大の数だけ集光レンズ１６）を配設させることができる。したがって、このような液晶表示装置５９では、バックライト光を効率よく利用することができる。
【０１３５】
《第３例》
なお、上述では、Ｒ・Ｇ・Ｂの３色の画素（Ｒカラーフィルター３４・Ｇカラーフィルター３４・Ｂカラーフィルター３４）を含むように、液晶表示パネル４９が形成されている場合について説明した。しかし、これに限定されることはなく、図１０・図１１〔図１０のＣ−Ｃ’線矢視断面図（図１０（ａ））、およびＤ−Ｄ’線矢視断面図（図１０（ｂ））〕のように、Ｒ・Ｇ・Ｂ・Ｃ（シアン）の画素（Ｒカラーフィルター３４・Ｇカラーフィルター３４・Ｂカラーフィルター３４・Ｃカラーフィルター３４）から成る一絵素を含むように構成された液晶表示パネル４９であってもよい。なお、図１０に示すように、カラーフィルター（Ｒ・Ｇ・Ｂ・Ｃカラーフィルター）３４は、モザイク状に配設されている。
【０１３６】
このような４色の画素（４色カラーフィルター３４）を含むように構成された液晶表示パネル４９を備えた液晶表示装置５９の一例について説明する。この液晶表示装置５９では、Ｒ・Ｇ・Ｂ・Ｃの各カラーフィルター３４における透過型カラーフィルター（Ｒ’・Ｇ’・Ｂ’・Ｃ’カラーフィルター）３４が、カラーフィルター３４（画素）の中央（中心）になるように設けられ、それ以外の領域を反射型カラーフィルター（ｒ’・ｇ’・ｂ’・ｃ’カラーフィルター）３４となるように構成されている。すると、その透過型カラーフィルター３４の位置に合わせて、バックライト装置１９の色選択照射体と集光レンズ１６とが配設されるようになる。
【０１３７】
このように偶数の画素（例えばＲ・Ｇ・Ｂ・Ｃの画素の４画素）で１絵素を形成する場合、各画素の設計が同一のままで、かつ高い集合密度で集光レンズ１６（例えば平面形状がほぼ円形である集光レンズ１６）を配設することができる（例えば集光レンズ１６を正方最密構造に配設できる）。そのため、液晶表示装置５９の作製上の煩雑さが回避できるという利点がある。また、Ｃの画素を設けることで広い色再現性が得られるという利点もある。なお、画素の表示色がこのＲ・Ｇ・Ｂ・Ｃの４色に制限されることがないのは自明であり、例えば、Ｒ・Ｇ・Ｂ・Ｃ・Ｗ（ホワイト）といった４色表示にしてもよいし、Ｒ・Ｇ・Ｂ・Ｃ・Ｍ（マゼンタ）・Ｙ（イエロー）といった６色表示にしても構わない。
【０１３８】
なお、上記の例においては、一画素が一方向に繰り返し並列し、さらにその並列した複数の画素が上記一方向に対する垂直方向に並列することで、画素が格子状に配設されている。また、第１例〜第３例における集光レンズ１６は、平面上において（集光レンズ１６を平面配設させた場合における一平面上において）、充填率７５％以上程度となっている。
【０１３９】
〔実施の形態５〕
本発明の第５の実施形態について説明する。なお、実施の形態１〜４で用いた部材と同様の機能を有する部材については、同一の符号を付記し、その説明を省略する。
【０１４０】
実施の形態１〜４では、色選択照射体として、干渉フィルター１・コレステリック液晶反射体（ＣＨ反射体）２を用いたものについて説明した。しかし、色選択照射体として使用できるものは、これらに限定されるものではない。そこで、以下に、色選択照射体として使用できる他の材料等について説明する。
【０１４１】
〈蛍光体の場合〉
まず一例として挙げる材料は、紫外線やＢ光（蛍光励起光）等を吸収することで（励起させることで）、可視光を発光する蛍光材料である。具体的には、色選択照射体の反射色（Ｒ・Ｇ・Ｂ）に対応する蛍光体（すなわちＲ光・Ｂ光・Ｇ光の光を発光できる蛍光体）を含有した樹脂（蛍光材料を構成する樹脂）を導光板１５内部に積層させるようにしている。
【０１４２】
このような樹脂層（蛍光体層）を備えた導光板１５形成するには、図１２に示すように、透明導光体１５ａの鋸歯面状に（図１２（ａ））、インクジェットノズル６３を用いて（インクジェット法により）、各蛍光体（Ｒ蛍光体・Ｇ蛍光体・Ｂ蛍光体）を含む樹脂を塗布し（図１２（ｂ））、その後、透明導光体１５ｂを透明導光体１５ａに貼り合わせるようになっている（図１２（ｃ））。
【０１４３】
そして、このような導光板１５を備えるバックライト装置１９だと、ＬＥＤ１１から発せられた光（蛍光励起光）が蛍光材料から成る色選択照射体（蛍光照射体３）に入射したとき、蛍光材料（蛍光体）の励起作用により発色する蛍光（蛍光放射光）を液晶表示パネル４９の対応する画素（各カラーフィルター３４）に入射させることができる。そして、この発色する蛍光は、干渉フィルター１・ＣＨ反射体２による反射光よりも色純度が高くなるので、液晶表示装置は色純度の高いカラー表示を行なうことができる。
【０１４４】
なお、蛍光体の発光を利用する場合、紫外線を蛍光励起光として用い、Ｒ・Ｇ・Ｂの各色を励起させて発光するようにしてもよい。また、Ｂ光を蛍光励起光とし、Ｒ蛍光照射体３・Ｇ蛍光照射体３で、Ｂ光を励起させてＲ光・Ｇ光（蛍光放射光）を液晶表示パネル４９（Ｒカラーフィルター３４・Ｇカラーフィルター３４）に向けて発光（入射）させるようにするとともに、Ｂ光を励起させることなく、そのまま反射させることで液晶表示パネル４９（Ｂカラーフィルター３４）に向けて入射（反射）させるようにしてもよい。
【０１４５】
〈誘電体の場合〉
また、色選択照射体として、主に無機誘電体材料の多層膜から成る干渉性の誘電体ミラー４を用いても構わない。
【０１４６】
なお、このような誘電体ミラー４を色選択照射体として用いる場合、その作製法としては、図１３に示すように、互いに噛み合うようになった透明導光体１５ａ・１５ｂにおける一方の透明導光体１５ａの鋸歯面上に（図１３（ａ））、スリットを有するマスク６１を介して、例えばＲ光を反射させる誘電体材料を、デポジションにより（例えばガスデポジションにより）積層させる（図１３（ｂ））。その後、同様の方法（マスクデポ）により、Ｇ光を反射させる誘電体材料・Ｂ光を反射させる誘電体材を所望の位置に積層させる（図１３（ｃ）・図１３（ｄ））。そして、最後に、各色の誘電体層（誘電ミラー４）が積層された透明導光体１５ａと、透明導光体１５ｂとを貼り合わせることで完成させるようになっている（図１３（ｅ））。
【０１４７】
また、色選択照射体として、重合性有機物の干渉露光によって得られる反射ホログラムを用いても構わない。もしくは青色の光源光を吸収して可視光を発光する蛍光体を含むよ
【０１４８】
〔その他の実施の形態〕
なお、本発明は上記の実施の形態に限定されず、本発明の趣旨を逸脱しない範囲で、種々の変更が可能である。
【０１４９】
例えば、本発明では、バックライト装置１９に色選択照射体が設けられていることから、特定色の光が各々分離して液晶表示パネル４９に入射されることになっている。そのため、透過型カラーフィルター３４・反射型カラーフィルター３４から構成されるカラーフィルター３４において、透過型カラーフィルター３４の厚みを薄くしたり、無くしたりしても、液晶表示パネル４９（半透過型液晶表示装置５９）がカラー表示を行なうことができる。もちろん、色純度を高めたい場合もあるので、透過型カラーフィルター３４の厚みを厚くしても構わない。
【０１５０】
また、本発明では、種々の光源が利用可能であり、上述したように、（Ｒ）ＬＥＤチップ、（Ｇ）ＬＥＤチップ、および（Ｂ）ＬＥＤチップを組み合わして構成されるＲＧＢチップであっても構わない。このような光源であれば、各発光色の色純度が高くなるためである。その上、色選択照射体を、各色の光の発光スペクトルと同範囲のスペクトル（反射スペクトル）で反射できるようにしておけば一層よい。つまり、（Ｒ）ＬＥＤチップからの赤色光の波長域（６３０ｎｍ程度の発光スペクトル）と同範囲の波長域の光を反射させる赤色照射体、緑色発光素子からの緑色光の波長域（５３０ｎｍ程度の発光スペクトル）と同範囲の波長域の光を反射させる緑色照射体、および、青色発光素子からの青色光の波長域（４８０ｎｍ程度の発光スペクトル）と同範囲の波長域の光を反射させる青色照射体から、色選択照射体を構成させるようにすればよい。
【０１５１】
また、従来では、図１４（ａ）のように、導光板１１５の背面に設けた反射回折格子１０５で、バックライト光（Ｗ光）をＲ光・Ｇ光・Ｂ光に分離させるとともに、それぞれ異なった所望の方向に（所望の画素上に）、各分離光を導くようにして、光損失を抑制させている液晶表示装置１５９もある（特開平９−１１３９０３号公報）。しかし、反射回折格子１０５を利用して各色を色分離するため、図１４（ｂ）〔図１４（ａ）におけるＰ部分の拡大図〕に示すように、色分離した段階でＲ・Ｇ・Ｂの各光線の進行方向が異なることなり、表示が方向によって色付いて見えるという問題が生じる。
【０１５２】
しかしながら、本発明では、バックライト光をＲ光・Ｇ光・Ｂ光に分離させてはいるが、反射回折格子１０５を用いていないため、分離されたＲ・Ｇ・Ｂの各光線は、液晶表示パネル４９の各カラーフィルター３４に適切に入射するようになっている。そのため、上述の色付いて見えるという問題等は生じ得ない。
【０１５３】
また、カラーフィルターに起因する光利用効率の低下を抑制させるために（吸収により光ロスを無くすために）、従来では、例えば、SID 99 DIGEST 51.3:Cholesteric Color Filters:Optical Characteristics,Light Recycling,and Brightness Enhancement(A.Hochbaum,Y.Jiang et al.)に開示されているように、非吸収のカラー選択透過板をパターニングしたものを、カラーフィルターとして応用した液晶表示装置もある。
【０１５４】
しかし、非吸収のカラーフィルターを単純に液晶層の背面に配置させた半透過型液晶表示装置であれば、カラーフィルターが選択透過する光以外の光を反射することになる。そのため、反射表示と透過表示とが反転した表示となってしまう。つまり、透過表示のためのバックライト光と、反射表示のための外光とを同時に使用することができないという問題（すなわち、半透過表示を行なえないという問題）が生じ得る。
【０１５５】
しかしながら、本発明のバックライト装置１９を用いれば、光の利用効率を向上させた上、半透過型の液晶表示装置５９にも適用できる。
【０１５６】
なお、本発明の効果としては、原理的にはカラーフィルター３４による光の損失が抑えられ、表示画面が明るくて視認性が高く、かつ表示の色純度も高く、さらには低消費電力で電池の寿命の長い液晶表示装置を提供することが可能といえる。
【０１５７】
また、本発明では、色選択照射体により特定の偏光を選択的に反射することで液晶表示パネルに照射し、他方の偏光を透過させている。そのため、原理的には従来、液晶表示パネル用いていたバックライト側の偏光板が不要とすることも可能といえる。したがって、偏光板による光のロスが無くなるので、光利用効率の高い液晶表示装置を提供することが可能ともいえる。
【０１５８】
また、本発明の半透過型液晶表示装置は、コリメータレンズを併せて用いることで、屋外でも明るい表示を得られるとともに、透過表示部（透過開口部）大きさに関わらず、室内でも光の損失の無い表示を得られる。そのため、室内でも従来の透過型並みの明るさが得られ、室内／屋外に関わらず視認性の高い表示が可能な液晶表示装置ともいえる。
【０１５９】
すなわち、本発明によれば、従来の液晶表示装置での光利用効率を下げる原因として問題となっていた大きな３つの問題（すなわち、カラーフィルター、偏光板、透過表示部の開口率）が全て解決されることとなり、従来に比べて極めて光利用効率が高い究極の液晶表示装置を提供できるともいえる。
【産業上の利用可能性】
【０１６０】
透過型・半透過型等の例えば液晶表示装置（表示装置）において有効である。
【図面の簡単な説明】
【０１６１】
【図１】色選択照射体に干渉フィルターを用いたバックライト装置およびそれを備えた液晶表示装置の概略構成図である。
【図２】色選択照射体にコレステリック液晶を用いたバックライト装置およびそれを備えた液晶表示装置の概略構成図である。は、図である。
【図３】温度によって、反射色が変わるコレステリック液晶により色選択照射体（ＣＨ反射体）を形成させていく工程図であり、（ａ）は透明導光体同士でコレステリック液晶材料を挟み込む工程図であり、（ｂ）は（Ｒ）ＣＨ反射体を形成させる工程図であり、（ｃ）は（Ｇ）ＣＨ反射体を形成させる工程図であり、（ｄ）は（Ｂ）ＣＨ反射体を形成させる工程図であり、（ｅ）は残りの部分のコレステリック液晶を透方相にするための工程図であり、（ｆ）はＣＨ反射体を含む導光板を完成させる工程図である。
【図４】照射光線量によって、反射色が変わるコレステリック液晶により色選択照射体（ＣＨ反射体）を形成させていく工程図であり、（ａ）は透明導光体同士でコレステリック液晶材料を挟み込む工程図であり、（ｂ）はハーフトーントマスクを用いて、（Ｒ）ＣＨ反射体・（Ｇ）ＣＨ反射体・（Ｂ）ＣＨ反射体・透方相を形成させる工程図であり、（ｃ）はＣＨ反射体を含む導光板を完成させる工程図である。
【図５】色選択照射体の配設角度を示す概略説明図である。
【図６】半透過型液晶表示装置の概略構成図である。
【図７】図６のカラーフィルターを平面表示した半透過型液晶表示装置の概略構成図である。
【図８】図６の他の一例を示す半透過型液晶表示装置の概略構成図である。
【図９】（ａ）は図８のＡ−Ａ’線矢視断面図であり、（ｂ）は図８のＢ−Ｂ’線矢視断面図である。
【図１０】図６・図８の他の一例を示す半透過型液晶表示装置の概略構成図である。
【図１１】（ａ）は図１０のＣ−Ｃ’線矢視断面図であり、（ｂ）は図８のＤ−Ｄ’線矢視断面図である。
【図１２】蛍光体を含ませた色選択照射体を形成させていく工程図であり、（ａ）は色選択照射体の形成される透明導光体を示す工程図であり、（ｂ）は、インクジェットノズルにより各蛍光体を含む樹脂を塗布している工程を示す工程図であり、（ｃ）は樹脂の塗布された透明導光体と、他の透明導光体とを貼り合わせることで、色選択照射体を含む導光板を完成させる工程図である。
【図１３】誘電体により色選択照射体を形成させていく工程図であり、（ａ）は色選択照射体の形成される透明導光体を示す工程図であり、（ｂ）はスリットを有するマスクを介したデポジションにより、Ｒ光を反射させる誘電体材料を積層させる工程図であり、（ｃ）はＧ光を反射させる誘電体材料を積層させる工程図であり、（ｄ）はＢ光を反射させる誘電体材料を積層させる工程図であり、（ｅ）は誘電材料から成る層を設けられた透明導光体と、他の透明導光体とを貼り合わせることで、色選択照射体を含む導光板を完成させる工程図である。
【図１４】（ａ）は反射回折格子を有する導光板を備えたバックライト装置および液晶表示装置の概略構成図であり、（ｂ）は（ａ）のＰ部分の拡大図である。
【図１５】（ａ）は従来の導光板の概略構成図であり、（ｂ）Ｑ部分の拡大図である。
【符号の説明】
【０１６２】
１    干渉フィルター（色選択照射体）
２    コレステリック液晶反射体（色選択照射体）
６    位相差板
７    １／２波長板
１１    ＬＥＤ（光源）
１３    コリメータレンズ（光平行化素子）
１５    導光板
１６    集光レンズ（光学素子）
１７    レンズシート
１９    バックライト装置
３４    カラーフィルター
４１    透過表示部（透過領域）
４２    反射表示部（反射領域）
４９    液晶表示パネル
５９    液晶表示装置
α    特定波長域の光を反射させるために必要な色選択照射体への入射角度
β    色選択照射体の傾き角度
γ    入射角度
【図１】
2006012722.tif 000003
【図２】
2006012722.tif 000004
【図３】
2006012722.tif 000005
【図４】
2006012722.tif 000006
【図５】
2006012722.tif 000007
【図６】
2006012722.tif 000008
【図７】
2006012722.tif 000009
【図８】
2006012722.tif 000010
【図９】
2006012722.tif 000011
【図１０】
2006012722.tif 000012
【図１１】
2006012722.tif 000013
【図１２】
2006012722.tif 000014
【図１３】
2006012722.tif 000015
【図１４】
2006012722.tif 000016
【図１５】
2006012722.tif 000017